(57)【要約】【課題】内部部品のメンテナンスや交換作業が円滑にできる空気調和機を提供する。【解決手段】空気調和機１は、メンテナンスや交換の対象となり得る複数の内部部品を備えた空気調和機である。空気調和機１は、本体２と、正面パネル３と、表示部４とを備えている。正面パネル３は、本体２の前面に着脱自在に取り付けられている。表示部４は、複数の内部部品のメンテナンスや交換を促す表示を行う複数の表示部分４ａ、４ｂ、４ｃを有する。複数の内部部品のメンテナンスや交換について説明した説明部５は、本体２における複数の表示部分の近傍に配置されている。説明部５は、正面パネル３を本体２に装着している際には露出しない。説明部５は、正面パネル３を本体２から取り外したときに露出する。説明部５は、内部部品のそれぞれのメンテナンスや交換についての説明をする説明部分５ｄ、５ｅ、５ｆと、それぞれの表示部分から各表示部分に対応する内部部品の説明部分へと延びる引き出し線５ａ、５ｂ、５ｃとを有している。【選択図】図４
2008048866.tif 000002
【特許請求の範囲】
【請求項１】
本体（２）と、
前記本体（２）の前面に着脱自在に取り付けられた正面パネル（３）と、
複数の内部部品のメンテナンスや交換を促す表示を行う複数の表示部分（４ａ、４ｂ、４ｃ）を有する表示部（４）と
を備えており、
前記正面パネル（３）を前記本体（２）に装着している際には露出せず前記正面パネル（３）を前記本体（２）から取り外したときに露出する説明部（５）であって複数の前記内部部品のメンテナンスや交換について説明した説明部（５）が、前記本体（２）における複数の前記表示部分（４ａ、４ｂ、４ｃ）の近傍に配置されており、
前記説明部（５）は、前記内部部品のそれぞれのメンテナンスや交換についての説明をする説明部分（５ｄ、５ｅ、５ｆ）と、それぞれの前記表示部分（４ａ、４ｂ、４ｃ）から各表示部分（４ａ、４ｂ、４ｃ）に対応する前記内部部品の説明部分（５ｄ、５ｅ、５ｆ）へと延びる引き出し線（５ａ、５ｂ、５ｃ）とを有している、
空気調和機（１）。
【請求項２】
前記説明部（５）が前記本体（２）への刻印によって構成されている、
請求項１に記載の空気調和機（１）。
【請求項３】
前記本体（２）の説明部（５）は、前記説明部（５）がある部分を樹脂成形するための金型に説明生成の溝がきられることにより、形成されている、
請求項２に記載の空気調和機（１）。
【請求項４】
前記正面パネル（３）脱着後にも前記表示部（４）の表示が消えないで表示を保持する表示保持部をさらに備えている、
請求項１に記載の空気調和機（１）。
【請求項５】
前記正面パネル（３）は、前記本体の前面全体を覆い、
前記正面パネル（３）は、前記表示部（４）を前面側から視認可能にするのぞき窓を有している、
請求項１に記載の空気調和機（１）。
【請求項６】
前記正面パネル（３）は、前記本体の前面のうちの前記表示部（４）以外の部分を覆っている、
請求項１に記載の空気調和機（１）。
【発明の詳細な説明】
【技術分野】
【０００１】
本発明は、メンテナンスや交換の対象となり得る複数の内部部品を備えた空気調和機に関する。
【背景技術】
【０００２】
従来、定期的な清掃等のメンテナンスや交換が必要な内部部品を備えた空気調和機において、メンテナンスや交換の手順をユーザに知らせるために、可動又は着脱可能な部品の近傍にその部品の解体取付の作業手順を記号や文字で表示した特許文献１の空気調和機がある。
【０００３】
また、現在市販されている空気清浄機などの空気調和機では、フィルタ等の交換部品の交換を促すための表示ランプを備えたものがある。これは、空気清浄機を使用しているときに、フィルタが目詰まりなどして正常な運転ができない状態になったときには、本体外面のユーザから見える位置に設けられた表示ランプが点灯または点滅することによって、ユーザへフィルタの交換を警告することが可能である。
【特許文献１】特開２００２−８９８７４号公報
【発明の開示】
【発明が解決しようとする課題】
【０００４】
しかし、従来の特許文献１記載の空気調和機では、従来の空気清浄機のように本体外面にフィルタ交換を促す表示ランプを有していても、その表示ランプが点灯してフィルタ交換をしようと思っても、本体の正面パネルまたはケーシングを開いたときに、表示ランプによって交換が促されている部品およびその作業手順の表示が、どこにあるかわかりにくいため、メンテナンスや交換作業が円滑に行うことが困難であるという問題がある。
【０００５】
本発明の課題は、内部部品のメンテナンスや交換作業が円滑にできる空気調和機を提供することにある。
【課題を解決するための手段】
【０００６】
第１発明の空気調和機は、本体と、正面パネルと、表示部とを備えている。正面パネルは、本体の前面に着脱自在に取り付けられている。表示部は、複数の内部部品のメンテナンスや交換を促す表示を行う複数の表示部分を有する。複数の内部部品のメンテナンスや交換について説明した説明部は、本体における複数の表示部分の近傍に配置されている。説明部は、正面パネルを本体に装着している際には露出しない。説明部は、正面パネルを本体から取り外したときに露出する。説明部は、内部部品のそれぞれのメンテナンスや交換についての説明をする説明部分と、それぞれの表示部分から各表示部分に対応する内部部品の説明部分へと延びる引き出し線とを有している。
【０００７】
ここでは、複数の内部部品のメンテナンスや交換を促す表示を行う複数の表示部分を有する表示部を備えている。また、正面パネルを本体に装着している際には露出せず正面パネルを本体から取り外したときに露出する説明部であって複数の内部部品のメンテナンスや交換について説明した説明部が、本体の複数の表示部分を有する表示部の近傍に配置されている。説明部は、複数の内部部品のそれぞれのメンテナンスや交換についての説明をする説明部分と、表示部のそれぞれの表示部分から各表示部分に対応する内部部品の説明部分へと延びる引き出し線を有している。したがって、表示部の表示部分のいずれか１つが点灯したときに、正面パネルを開ければ、引き出し線によってユーザの目線が表示部分からそれぞれに対応する内部部品の説明部分へ誘導される。そのため、点灯する表示部分に対応する内部部品の説明部分を見ながら内部部品のメンテナンスや交換作業を円滑に行うことが可能である。
【０００８】
第２発明の空気調和機は、第１発明の空気調和機であって、説明部が本体への刻印によって構成されている。
【０００９】
ここでは、説明部が本体への刻印によって構成されているので、はっきり説明部を表示でき、内部部品のメンテナンスや交換作業がより円滑にできる。
【００１０】
第３発明の空気調和機は、第２発明の空気調和機であって、本体の説明部は、説明部がある部分を樹脂成形するための金型に説明生成の溝がきられることにより、形成されている。
【００１１】
ここでは、本体の説明部がその説明部がある部分を樹脂成形するための金型に説明生成の溝がきられることにより形成されているので、はっきり説明部を表示でき、内部部品のメンテナンスや交換作業がより円滑にできる。それとともに、樹脂成形による刻印なので、本体を樹脂成形すると同時に刻印できるので、製造コストを安くできる。
【００１２】
第４発明の空気調和機は、第１発明の空気調和機であって、正面パネル脱着後にも表示部の表示が消えないで表示を保持する表示保持部をさらに備えている。
【００１３】
ここでは、表示保持部によって、正面パネル脱着後にも表示部の表示が消えないで表示を保持することにより、正面パネルを開けて空気調和機全体の電源が強制終了しても、表示部の表示が消えないので、表示部分に対応する説明部分を確実に見つけ出すことができ、内部部品のメンテナンスや交換作業がより円滑にできる。
【００１４】
第５発明の空気調和機は、第１発明の空気調和機であって、正面パネルが本体の前面全体を覆い、かつ、正面パネルが表示部を前面側から視認可能にするのぞき窓を有している。
【００１５】
ここでは、正面パネルが本体の前面全体を覆い、かつ、正面パネルが表示部を前面側から視認可能にするのぞき窓を有しているので、表示部が正面パネルの有無によらず外部に露出することができる。
【００１６】
第６発明の空気調和機は、第１発明の空気調和機であって、正面パネルは、本体の前面のうちの表示部以外の部分を覆っている。
【００１７】
ここでは、正面パネルが本体の前面のうちの表示部以外の部分を覆っているので、表示部が正面パネルの有無によらず外部に露出することができる。
【発明の効果】
【００１８】
第１発明によれば、点灯する表示部分に対応する内部部品の説明部分を見ながら内部部品のメンテナンスや交換作業を円滑に行うことができる。
【００１９】
第２発明によれば、はっきり説明部を表示でき、内部部品のメンテナンスや交換作業がより円滑にできる。
【００２０】
第３発明によれば、はっきり説明部を表示でき、内部部品のメンテナンスや交換作業がより円滑にできる。それとともに、樹脂成形による刻印なので、本体を樹脂成形すると同時に刻印できるので、製造コストを安くできる。
【００２１】
第４発明によれば、正面パネルを開けて空気調和機全体の電源が強制終了しても、表示部の表示が消えないので、表示部分に対応する説明部分を確実に見つけ出すことができ、内部部品のメンテナンスや交換作業がより円滑にできる。
【００２２】
第５発明によれば、表示部が正面パネルの有無によらず外部に露出することができる。
【００２３】
第６発明によれば、表示部が正面パネルの有無によらず外部に露出することができる。
【発明を実施するための最良の形態】
【００２４】
つぎに本発明の空気調和機の実施形態を図面を参照しながら説明する。
＜空気清浄機１の構成＞
【００２５】
本発明の空気調和機の実施形態である図１〜４に示される空気清浄機１は、本体２と、正面パネル３と、複数の内部部品のメンテナンスや交換を促す表示を行うＬＥＤ表示部４と、メンテナンス作業や交換の作業を定期的に必要とする内部部品として、フィルタ１３、プラズマイオン化ユニット１４ならびにストリーマ放電ユニット１５とを備えている。フィルタ１３およびプラズマイオン化ユニット１４は、本体２の前面側の収納スペース１７に収納されている。また、本体２の上面には、運転切換／停止ボタン１１およびフィルタリセットボタン１２が設けられている。
【００２６】
ＬＥＤ表示部４は、本体２の内部に水平方向に直線的に配列された複数のＬＥＤ（発光ダイオード）からなり、ＬＥＤ表示部４は、後述する複数の内部部品のそれぞれに対応する複数の表示部分４ａ、４ｂ、４ｃを有している。
【００２７】
フィルタ１３は、本体２内部のファン（図示せず）の吸引力によって、正面パネル３の周囲の隙間から本体２の内部に吸い込まれた空気に含まれる塵埃をフィルタ表面に吸着して捕集する。フィルタ１３は、プリーツ状に形成されている。フィルタ１３は、帯電した塵埃を吸着できる静電フィルタと、光触媒機能を有するチタンアパタイト担持フィルタとを積層させることにより製造されている。
【００２８】
プラズマイオン化ユニット１４は、そのユニット１４を通過する空気中の塵埃を帯電させることによって、フィルタ１３に塵埃を吸着させやすくする。
【００２９】
ストリーマ放電ユニットユニット１５は、ストリーマ放電によって活性種を発生させる。発生した活性種は、本体２内部に吸入される空気流れと合流して、フィルタ１３の光触媒機能を活性化させる。光触媒機能を活性化されたフィルタ１３は、空気中のウィルスやカビ菌、細菌などを不活化または死滅させる。
【００３０】
また、本体２の前面において、正面パネル３を本体２に装着している際には露出せず正面パネル３を本体２から外したときに露出する説明部５であって複数の内部部品のメンテナンスや交換について説明した説明部５が、本体２におけるＬＥＤ表示部４の表示部分４ａ、４ｂ、４ｃの近傍に配置されている。
【００３１】
説明部５は、内部部品のそれぞれの説明部分、すなわち、フィルタ説明部分５ｄ、プラズマイオン化ユニット（ユニット１）説明部分５ｅ、およびストリーマ放電ユニット（ユニット２）説明部分５ｆを有している。内部部品のそれぞれの説明部分５ｄ、５ｅ、５ｆは、それぞれの内部部品のメンテナンスまたは交換についての説明の表示と、それぞれの内部部品の形状および本体２内部における位置を示すイラストの表示とを有している。
【００３２】
また、説明部５は、それぞれのＬＥＤ表示部４から、各ＬＥＤ表示部４に対応する内部部品の説明部分５ｄ、５ｅ、５ｆへと延びる引き出し線５ａ、５ｂ、５ｃを有している。
【００３３】
具体的には、引き出し線５ａ、５ｂ、５ｃは、フィルタ１３、プラズマイオン化ユニット１４、およびストリーマ放電ユニットユニット１５のそれぞれのメンテナンスまたは交換作業が必要なことを警告するＬＥＤ表示部４ａ、４ｂ、４ｃから、それぞれの部品のメンテナンスまたは交換作業のための説明部分５ｄ、５ｅ、５ｆまで延びている。
【００３４】
例えば、引き出し線５ａは、ＬＥＤ表示部４のうちのフィルタ表示部分４ａからフィルタ１３のメンテナンスや交換を説明するフィルタ説明部分５ｄに延びている。これにより、ユーザは、空気清浄機１の運転中にＬＥＤ表示部４のうちのフィルタ表示部分４ａが点灯したときに、正面パネル３を開ければ、引き出し線５ａによってユーザの目線がフィルタ表示部分４ａからフィルタ説明部分５ｄへ誘導されることによって、フィルタ表示部分４ａに対応するフィルタ説明部分５ｄを見ながらフィルタ１３のメンテナンスや交換作業を行えばよい。図４のフィルタ説明部分５ｄは、フィルタ１３の交換を指示する内容であるので、ＬＥＤ表示部４のうちのフィルタ表示部分４ａが点灯したときには、本体２の空きスペースに収納されている交換用フィルタ１６を取り出して、フィルタ交換をすればよい。
【００３５】
同様に、引き出し線５ｂは、ＬＥＤ表示部４のうちのプラズマイオン化ユニット（図３〜４におけるユニット１）表示部分４ｂからプラズマイオン化ユニット１４のメンテナンスや交換を説明するプラズマイオン化ユニット（ユニット１）説明部分５ｅに延びている。図４のプラズマイオン化ユニット（ユニット１）説明部分５ｅは、プラズマイオン化ユニット１４のつけおきを指示する内容である。したがって、ＬＥＤ表示部４のうちのプラズマイオン化ユニット（ユニット１）表示部分４ｂが点灯したときには、正面パネル３を開ければ、引き出し線５ｂによってユーザの目線がプラズマイオン化ユニット（ユニット１）表示部分４ｂからプラズマイオン化ユニット（ユニット１）説明部分５ｅへ誘導されることによって、プラズマイオン化ユニット（ユニット１）説明部分５ｅを見ながらプラズマイオン化ユニット１４を本体２から取り外し、所定の液体に所定時間漬けおくことによって、つけおき作業をすればよい。
【００３６】
さらに、引き出し線５ｃは、ＬＥＤ表示部４のうちのストリーマ放電ユニット（図３〜４におけるユニット２）表示部分４ｃからストリーマ放電ユニット１５のメンテナンスや交換を説明するストリーマ放電ユニット（ユニット２）説明部分５ｆに延びている。図４のストリーマ放電ユニット（ユニット２）説明部分５ｆは、ストリーマ放電ユニット１５のつけおきを指示する内容である。したがって、ＬＥＤ表示部４のうちのストリーマ放電ユニット（ユニット２）表示部分４ｃが点灯したときには、正面パネル３を開ければ、引き出し線５ｃによってユーザの目線がストリーマ放電ユニット（ユニット２）表示部分４ｃからストリーマ放電ユニット（ユニット２）説明部分５ｆへ誘導されることによって、ストリーマ放電ユニット（ユニット２）説明部分５ｆを見ながらストリーマ放電ユニット１５を本体２から取り外し、所定の液体に所定時間漬けおくことによって、つけおき作業をすればよい。
【００３７】
以上のように、メンテナンスや交換を促す表示を行うＬＥＤ表示部４の複数の表示部分４ａ、４ｂ、４ｃに対応する説明部分５ｄ、５ｅ、５ｆを読むことによって内部部品（フィルタ１３、プラズマイオン化ユニット１４、およびストリーマ放電ユニットユニット１５）のメンテナンスや交換作業が円滑にできる。
【００３８】
本体２の説明部５は、合成樹脂でできた本体２の表面上に明確に視認できるように本体２への刻印によって構成されている。本実施形態では、説明部５は、説明部５がある部分を樹脂成形するための金型に説明生成の溝がきられることにより形成されているので、はっきり説明部分を表示できとともに樹脂成形により安価に刻印できる。
【００３９】
正面パネル３は、本体２の前面全体を覆っており、かつ、ＬＥＤ表示部４を前面側から視認可能にするのぞき窓３ａ（図３参照）を有している。したがって、ＬＥＤ表示部４が正面パネル３の有無によらず外部に露出することができる。本実施形態では、のぞき窓３ａは透明樹脂板で覆われているが、透明樹脂板を省略してもよい。
【００４０】
また、正面パネル３ののぞき窓３ａ周囲の部分には、ＬＥＤ表示部４の各表示部分４ａ、４ｂ、４ｃに対応する内部部品の名称等の表示（例えば、お手入れ欄のところの「フィルタ」、「ユニット１」、「ユニット２」など）がある。また、ＬＥＤ表示部４のその他の表示部分は、正面パネル３を閉じた状態では、ホコリの量、風量、タイマ等の表示をするようになっている。
＜特徴＞
【００４１】
（１）
実施形態の空気清浄機１は、複数の内部部品（フィルタ１３、プラズマイオン化ユニット１４、およびストリーマ放電ユニットユニット１５）のメンテナンスや交換を促す表示を行う複数の表示部分４ａ、４ｂ、４ｃを有するＬＥＤ表示部４を備えている。また、正面パネル３を本体２に装着している際には露出せず正面パネル３を本体２から取り外したときに露出する説明部５であって複数の内部部品のメンテナンスや交換について説明した説明部５が、本体２の複数の表示部分４ａ、４ｂ、４ｃを有するＬＥＤ表示部４の近傍に配置されている。説明部５は、複数の内部部品のそれぞれのメンテナンスや交換についての説明をする説明部分５ｄ、５ｅ、５ｆと、ＬＥＤ表示部４のそれぞれの表示部分４ａ、４ｂ、４ｃから各表示部分４ａ、４ｂ、４ｃに対応する内部部品の説明部分５ｄ、５ｅ、５ｆへと延びる引き出し線５ａ、５ｂ、５ｃを有している。
したがって、ＬＥＤ表示部４の表示部分４ａ、４ｂ、４ｃのいずれか１つが点灯したときに、正面パネル３を開ければ、引き出し線５ａ、５ｂ、５ｃによってユーザの目線が表示部分４ａ、４ｂ、４ｃからそれぞれに対応する内部部品の説明部分５ｄ、５ｅ、５ｆへ誘導される。そのため、点灯する表示部分４ａ、４ｂ、４ｃに対応する内部部品の説明部分５ｄ、５ｅ、５ｆを見ながら内部部品のメンテナンスや交換作業を円滑に行うことが可能である。しかも、空気清浄機１の通常使用状態では、正面パネル３によって複数の表示部４の発光面以外の説明部５は遮蔽されており、説明部５の引き出し線５ａ、５ｂ、５ｃおよび説明部分５ｄ、５ｅ、５ｆは、外観からは見えないので、意匠性を低下させない。
（２）
実施形態の空気清浄機１では、説明部５が本体２への刻印によって構成されているので、はっきり説明部５を表示でき、内部部品のメンテナンスや交換作業がより円滑にできる。また、シール等と比較して、説明部５が摩耗や汚損するおそれもなく、耐久性が高い。
（３）
さらに、実施形態の空気清浄機１では、本体２の説明部５は、説明部５がある部分を樹脂成形するための金型に説明生成の溝がきられることにより形成されているので、はっきり説明部５を表示でき、内部部品のメンテナンスや交換作業がより円滑にできる。それとともに、樹脂成形による刻印なので、本体２を樹脂成形すると同時に刻印できるので、製造コストを安くできる。
（４）
実施形態の空気清浄機１では、正面パネル３が本体２の前面全体を覆い、かつ、正面パネル３がＬＥＤ表示部４を前面側から視認可能にするのぞき窓３ａを有しているので、ＬＥＤ表示部４が正面パネル３の有無によらず外部に露出することができる。
＜変形例＞
【００４２】
（Ａ）
本発明の変形例として、空気清浄機１を使用中に正面パネル３を開けたときに、安全のために空気清浄機１への電気の供給を強制的に遮断するようにしてもよい。この場合、正面パネル３を脱着後にもＬＥＤ表示部４の表示が消えないようにするために、表示保持部として、ＬＥＤ表示部４のＬＥＤへ電気の供給を所定時間継続させておくためのコンデンサをさらに備えてもよい。
表示保持部としてコンデンサを内蔵することにより、内部部品のメンテナンス又は交換をするときに、正面パネルを開けて空気清浄機全体の電源が強制終了しても、ＬＥＤ表示部４の表示が消えないので、ＬＥＤ表示部４の表示部分４ａ〜４ｃに対応する説明部分５ｄ〜５ｆを確実に見つけ出すことができ、内部部品のメンテナンスや交換作業がより円滑にできる。
なお、コンデンサの他にも、電源遮断後もＬＥＤに一定時間電気を供給できる手段であれば表示保持部として採用され得る。
（Ｂ）
上記実施形態では、複数の内部部品のメンテナンスや交換を促す表示を行う複数の表示部分を有する表示部として、ＬＥＤ表示部４を例にあげて説明したが、本発明はこれに限定されるものではなく、その他の表示手段、例えば、白熱ランプ、液晶表示装置、ＥＬセル等を用いてもよい。
（Ｃ）
実施形態では、正面パネル３は本体２の前面を覆い、ＬＥＤ表示部４の前方だけのぞき窓３ａを通して露出させているが、本発明はこれに限定されるものではない。
本発明の変形例として、正面パネル３が本体２の前面のうちのＬＥＤ表示部４以外の部分を覆っているようにしてもよく、この場合もＬＥＤ表示部４が正面パネル３の有無によらず外部に露出することができる。
【産業上の利用可能性】
【００４３】
本発明は、メンテナンスや交換が必要な部品を備えた空気調和機に適用することが可能である。本発明でいう空気調和機には、正面パネルを開け閉めしてメンテナンスや交換作業を行なわれる空気調和機であればよく、例えば、空気清浄機やルームエアコンなども含まれる。また、本発明は、床置き型の空気調和機だけでなく、壁掛けタイプ、天井設置タイプにも適用可能である。
【図面の簡単な説明】
【００４４】
【図１】本発明の空気調和機の実施形態に係わる空気清浄機の斜視図。
【図２】図１の空気清浄機の正面パネルを取った状態の分解斜視図。
【図３】図１の空気清浄機における正面パネルを閉じた状態のＬＥＤ表示部付近の拡大正面図。
【図４】図１の空気清浄機における正面パネルを開けた状態のＬＥＤ表示部および説明部の拡大正面図。
【符号の説明】
【００４５】
１  空気清浄機
２  本体
３  正面パネル
４  ＬＥＤ表示部
５  説明部
１３  フィルタ（内部部品）
１４  プラズマイオン化ユニット（内部部品）
１５  ストリーマ放電ユニットユニット（内部部品）
【図１】
2008048866.tif 000003
【図２】
2008048866.tif 000004
【図３】
2008048866.tif 000005
【図４】
2008048866.tif 000006